(57)【特許請求の範囲】
【請求項１】
走行車体フレーム（１）の後部側に設けられた薬液タンク搭載用スペース上で薬液タンク（１３）を前後方向に移動自在に薬液タンク（１３）の底面を支持して案内する前後案内体（１６）と、
前後案内体（１６）を移動可能とする接地輪（２１）と、を設け、
前後案内体（１６）の前部側を、走行車体フレーム（１）の後部に形成する挿入用の孔（１ａ）に前後案内体（１６）の前部を挿入可能にすることを特徴とする薬液散布車両用の薬液タンク着脱用具。
【請求項２】
前後案内体（１６）は左右一対設け、その後部を前後案内体（１６）上を移動した薬液タンク（１３）の底面を支持する平面視で略矩形状のロッド（１７）の前端部に取り付けることを特徴とする請求項１記載の薬液散布車両用の薬液タンク着脱用具。
【請求項３】
前後案内体（１６）上を移動した薬液タンク（１３）の背面を支持する逆Ｕ字状の背面支持体（１９）を前記略矩形状のロッド（１７）に取り付けることを特徴とする請求項２記載の薬液散布車両用の薬液タンク着脱用具。
【発明の詳細な説明】
【技術分野】
【０００１】
本発明は、薬液散布をすることができる薬液散布車両の薬液タンク着脱用具に関する。
【背景技術】
【０００２】
車両に搭載した薬液タンクからの薬液をブームに取り付けたノズルから作物などに噴霧する薬液散布車両は、例えば特開２００２−１０１８０３号公報などで提案されている。
【先行技術文献】
【特許文献】
【０００３】
【特許文献１】特開２００２−１０１８０３号公報
【発明の概要】
【発明が解決しようとする課題】
【０００４】
上記特許文献１記載の構成によれば、薬液タンクを車両に着脱自在にしているので、薬液を薬液タンクに補充する場合に、薬液タンクを必要に応じて取り外すことができるが、取り外した際の薬液タンクを安定に維持することが難く、改良の余地があった。
【０００５】
本発明の課題は、車両から取り外した際の薬液タンクの姿勢が安定するようにし、かつ車両からの薬液タンクの着脱作業がし易く、また薬液タンクの保管がし易い薬液散布車両の薬液タンク着脱用具を提供することである。
【課題を解決するための手段】
【０００６】
本発明の上記課題は次の解決手段により解決される。    
請求項１記載の発明は、走行車体フレーム（１）の後部側に設けられた薬液タンク搭載用スペース上で薬液タンク（１３）を前後方向に移動自在に薬液タンク（１３）の底面を支持して案内する前後案内体（１６）と、
前後案内体（１６）を移動可能とする接地輪（２１）と、を設け、
前後案内体（１６）の前部側を、走行車体フレーム（１）の後部に形成する挿入用の孔（１ａ）に前後案内体（１６）の前部を挿入可能にすることを特徴とする薬液散布車両用の薬液タンク着脱用具である。
【０００７】
請求項２記載の発明は、前後案内体（１６）は左右一対設け、その後部を前後案内体（１６）上を移動した薬液タンク（１３）の底面を支持する平面視で略矩形状のロッド（１７）の前端部に取り付けることを特徴とする請求項１記載の薬液散布車両用の薬液タンク着脱用具である。
【０００８】
請求項３記載の発明は、前後案内体（１６）上を移動した薬液タンク（１３）の背面を支持する逆Ｕ字状の背面支持体（１９）を前記略矩形状のロッド（１７）に取り付けることを特徴とする請求項２記載の薬液散布車両用の薬液タンク着脱用具である。
【０００９】
【００１０】
【００１１】
【発明の効果】
【００１２】
請求項１記載の発明によれば、薬液タンク１３を走行車体フレーム１から取り外すときに、走行車体フレーム１に形成する挿入用の孔１ａに前後案内体１６の前部を挿入可能にしたので、簡単な操作及び構成で前後案内体１６を走行車体フレーム１に対して着脱姿勢に支持することができる。
また、走行車体フレーム１から前後案内体１６を取り外して、薬液タンク１３を載せた状態で薬液タンク１３を移動し易くすることができる。
【００１３】
請求項２記載の発明によれば、請求項１記載の発明の効果に加えて、簡単な構成で前後案内体１６を設けることができる。
【００１４】
請求項３記載の発明によれば、請求項２記載の発明の効果に加えて、作業者が背面支持体１９を把持可能とすることができる。
【００１５】
【００１６】
【図面の簡単な説明】
【００１７】
【図１】本発明の一実施例の薬液タンク着脱用具を備えた薬液散布車両の側面図である。
【図２】本発明の別実施例の薬液タンク着脱用具を備えた薬液散布車両の側面図（図２（ａ））と、図２（ａ）の薬液タンク着脱用具部分の斜視図（図２（ｂ））である。
【図３】図１の薬液散布車両の左右両側に広げたブームのノズルから薬液散布をしている状態を示す正面図である。
【図４】図１の薬液散布車両に用いる一実施例の薬液タンク着脱用具の斜視図である。
【発明を実施するための形態】
【００１８】
以下、本発明の実施形態について図面と共に説明する。図１は本発明の一実施例の薬液タンク着脱用具を備えた薬液散布車両の全体側面図であり、図２は本発明の別実施例の薬液タンク着脱用具を備えた薬液散布車両の全体側面図（図２（ａ））と、図２（ａ）の薬液タンク着脱用具部分の斜視図（図２（ｂ））である。なお、本明細書では薬液散布車両の前進方向に向かって左右方向をそれぞれ左、右という。
【００１９】
走行車体フレーム１に左右一対の前輪２及び後輪３を設け、走行車体フレーム１の前側には図示しないラジエータ及びラジエータの補充用の冷却液を収容するリザーブタンク及びエンジンを搭載し、ボンネット７で覆う構成としている。
【００２０】
ボンネット７の後方にはステアリングハンドル８を設け、ステアリングハンドル８の後方には運転座席９を設けている。ステアリングハンドル８及び運転座席９の下方にはステップ１０を設け、ステップ１０の下方には燃料タンク１１及び図示しないミッションケースを設けている。
【００２１】
運転座席９の後方には薬液を収容する薬液タンク１３を載置し、運転座席９の左右一側には操作盤（図示せず）を設け、ポンプ入り切り操作レバー（図示せず）等の薬液散布作業のための各種操作具を備えている。
【００２２】
図１と図２にはサイドブーム１５を車体１の両側面に格納して、走行車体フレーム１の左右両側に斜め後ろ上がり姿勢とし、後端部を前方に折り曲げた状態を示す。薬液を散布するブーム１５は図３に示すように走行車体フレーム１の左右両側に広げたブーム１５に取り付けている多数のノズル１５ａから薬液タンク１３から供給される薬液を散布する。
【００２３】
なお、図１、図２（ａ）は薬液タンク１３を走行車体フレーム１の後部側に設けられた薬液タンク搭載用スペース上に載置した場合と、前記スペースから地上に降ろす途中の状態を示す図である。
【００２４】
図４には、薬液散布車両に用いる一実施例の薬液タンクの着脱用具の斜視図を示す。
前記薬液タンク１３の着脱用具は薬液タンク１３の底面を支持しながら前後方向に移動自在に案内する前後案内体１６と該前後案内体１６の後部側に接続して、後ろ斜め下がり姿勢で薬液タンク１３をスライドさせて上下移動させる昇降案内体１７を主な構成部材とし、前後案内体１６の前部側を走行車体フレーム１に支持可能にした構成である。
【００２５】
図４に示す薬液タンクの着脱用具では、一対の同一長さの前後案内体ロッド１６ａ、１６ｂを並列位置に配置した構成からなる前後案内体１６と、該前後案内体１６の後端部側に昇降案内体１７を接続している。
【００２６】
図１の全体側面図に示すように、昇降案内体１７は後ろ斜め下がり姿勢で薬液タンク１３をスライドさせて上下移動させる機能を備えている。昇降案内体１７は平面視でほぼ矩形のロッドからなり、その前端側の第一昇降案内体ロッド１７ａに一対の同一長さの前後案内体ロッド１６ａ、１６ｂの後端側が溶接接続している。昇降案内体１７の第二昇降案内体ロッド１７ｂは２本の同一形状のロッドからなり、第一昇降案内体ロッド１７ａの両端にそれぞれの第二昇降案内体ロッド１７ｂの前端が溶接接続している。第二ロッド昇降案内体１７ｂの後端側にはそれぞれ接地輪２１が取り付けられている。該接地輪２１の回転軸は昇降案内体１７の第三昇降案内体ロッド１７ｃである。接地輪２１は地面上に接して回転し易くするために、第二昇降案内体ロッド１７ｂは接地輪２１側が折れ曲がり形状をしている。
【００２７】
また一対の第二昇降案内体ロッド１７ｂの中間部に背面支持体１９が掛け渡されている。背面支持体１９は背面視で逆Ｕ字状の形状であり、一対の第二昇降案内体ロッド１７ｂを貫通して、第二昇降案内体ロッド１７ｂ上を摺動する第一短管２２に溶接接続した第二短管２３に挿脱自在に装着されている。第一短管２２は第二昇降案内体ロッド１７ｂを貫通して摺動自在であるが、適切な摺動位置に第一短管２２を配置すると、図示しない固定具で第二昇降案内体ロッド１７ｂに締め付けて第一短管２２を固定する。
【００２８】
背面支持体１９は傾斜位置にある昇降案内体１７の上に薬液タンク１３が移動した場合に、薬液タンク１３が滑り落ちるのを防止するための支持部材である。
また各第一短管２２には薬液タンク横転規制部材２０の基部が溶接接続されている。薬液タンク横転規制部材２０は薬液タンク１３が、水平に対して傾斜した時、横転しないように地面との間隔を保つ機能がある。
【００２９】
薬液タンク１３を走行車体フレーム１から取り外すときに、薬液タンク１３を前後案内体１６に沿って後方へ移動させて、次いで、昇降案内体１７に沿って地上に下ろすので、薬液タンク１３の走行車体フレーム１に対する着脱が円滑に行える。
【００３０】
また、図２（ｂ）に示すように、走行車体フレーム１に形成する挿入用の孔１ａに前後案内体１６の前部を挿入可能にしたので、簡単な操作及び構成で前後案内体１６を走行車体フレーム１に対して着脱姿勢に支持することができる。
【００３１】
昇降案内体１７に薬液タンク１３の背面を支持する背面支持体１９を設け、該背面支持体１９を昇降案内体１７に沿ってスライド可能な構成としたので、薬液タンク１３の後部側を背面支持体１９に当接させて順次地上に薬液タンク１３を下ろすことができる。
【００３２】
昇降案内体１７に薬液タンク１３の横転規制部材２０を設け、該横転規制部材２０は、背面支持体１９と共にスライド可能な構成としたので、薬液タンク１３の昇降移動中に該薬液タンク１３が横転することがなくなる。
【００３３】
また図４に示す実施例では、背面支持体１９の両端部は薬液タンク１３の背面幅と同等の幅を有し、昇降案内体１７に支持される横軸（仮想軸）２４を回動中心として支持され、また昇降案内体１７から取り外し自在とした。こうして、作業者が背面支持体１９を把持可能になり、背面支持体１９は昇降案内体１７から取り外すことができるので、薬液タンク１３を他の場所に持ち出しやすい。
【００３４】
昇降案内体１７の後部に接地輪２１を設けた場合に走行車体フレーム１から前後案内体１６を取り外して、作業者が取り外した前後案内体１６を把持して昇降案内体１７の上に薬液タンク１３を載せた状態で該昇降案内体１７と共に薬液タンク１３を移動し易くなる。
【００３５】
図２には昇降案内体１７に接地輪２１を取り付けていない場合の全体側面図を示す。この場合は、接地輪２１が無いために、昇降案内体１７の接地側の第二昇降案内体ロッド１７ｂの下端部が接地する状態で薬液散布車両を移動させないで、薬液タンク１３だけを昇降案内体１７から取り外すことが望ましい。
【符号の説明】
【００３６】
１    走行車体フレーム                ２    前輪
３    後輪                            ７    ボンネット
８    ステアリングハンドル
９    運転座席                        １０    ステップ
１１    燃料タンク                    １３    薬液タンク
１５    ブーム                        １５ａ    ノズル
１６    前後案内体                    １７    昇降案内体
１９    背面支持体                    ２０    横転規制部材
２１    接地輪                        ２２    第一短管
２３    第二短管                      ２４    横軸（仮想軸）
【図１】
0006197670.tif 000002
【図２】
0006197670.tif 000003
【図３】
0006197670.tif 000004
【図４】
0006197670.tif 000005